(57)【要約】      （修正有）【課題】ショートヘアーの人であっても、あるいは、どのような髪型の人であっても、頭髪または髪留めを利用して簡単に目尻を引き上げるための目尻上げ具を提供する。【解決手段】目尻上げ具は、髪留めと、左右一対の髪引張り具１０Ｌ、１０Ｒの組合せによって構成され、髪引張り具１０Ｌ、１０Ｒは、弾性リング体１１Ｌ、１１Ｒ及びツマミ部ＫＬ、ＫＲから構成されている。なおツマミ部ＫＬ、ＫＲが取り付けられていない場合も可能である。【選択図】図１
0003147519.tif 000002
【実用新案登録請求の範囲】
【請求項１】
髪留めと、左右一対の髪引張り具からなる目尻上げ具において、
髪引張り具が弾性リング体からなり、かつ、髪留めが、髪引張り具を引っ掛けられる構成となっていることを特徴とする目尻上げ具。
【請求項２】
髪引張り具が弾性リング体からなる特徴とする請求項1記載の目尻上げ具。
【請求項３】
弾性リング体が、輪ゴムであることを特徴とする請求項1〜2の何れかに記載の目尻上げ具。
【考案の詳細な説明】
【技術分野】
【０００１】
本考案は、頭髪を利用して簡単に目尻を引き上げるための目尻上げ具に関する。
【背景技術】
【０００２】
従来から、こめかみ付近の皮膚を引き上げることは、目尻のたるみを矯正し容貌を改善する技術として知られていた。
【０００３】
例えば、ロングヘアーをポニーテールにすれば目尻を上げる効果はあったが、髪型がポニーテール等に限定されてしまい、ショートヘアーの人には適応できないという欠点が有った。
【０００４】
ショートヘアーの人であっても、あるいは、どのような髪型の人であっても、頭髪を利用して簡単に目尻を引き上げるための目尻上げ具は、従来存在しなかった。
【０００５】
また、髪留め（市販の髪留めを含む。）を利用して、簡単に目尻を引き上げるための目尻上げ具は、存在しなかった。
【考案の開示】
【考案が解決しようとする課題】
【０００６】
○本考案が解決しようとする第１の課題（考案の第１の課題）
本考案が解決しようとする第１の課題は、ショートヘアーの人であっても、あるいは、どのような髪型の人であっても、頭髪を利用して簡単に目尻を引き上げるための目尻上げ具を提供することにある。
○本考案が解決しようとする第２の課題（考案の第２の課題）
本考案が解決しようとする第２の課題は、また、髪留め（市販の髪留めを含む。）を利用して、簡単に目尻を引き上げるための目尻上げ具を提供することにある。
【課題を解決するための手段】
【０００７】
本考案者は、上記の従来技術及び市販製品が有する各種の問題点に鑑み、鋭意検討を重ねて、本考案を完成したものである。課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
髪留めと、左右一対の髪引張り具からなる目尻上げ具において、
髪引張り具が弾性リング体からなり、かつ、髪留めが、髪引張り具を引っ掛けられる構成となっていることを特徴とする目尻上げ具である。
○第２の考案（請求項２に記載の考案）
上記の課題を解決するための第２の考案（請求項２に記載の考案）は、
髪引張り具が弾性リング体からなる特徴とする請求項1記載の目尻上げ具である。
○第３の考案（請求項３に記載の考案）
上記の課題を解決するための第３の考案（請求項３に記載の考案）は、
弾性リング体が、輪ゴムであることを特徴とする請求項1〜2の何れかに記載の目尻上げ具である。
【考案の効果】
【０００８】
本考案に係る、目尻上げ具は、上記のような特徴的構成用件から構成され、特徴的構成用件に応じた、以下のような本願考案特有の顕著な効果を奏する。
【０００９】
また、上記のような特徴的構成用件から構成された本考案によれば、本願考案の課題を十分解消することができた。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜用語の説明＞
なお、本願の実用新案登録請求の範囲、明細書、図面等における用語の解釈上の疑義を解消するために、以下、用語の説明をする。
○髪留めとは、装飾表面部と、その裏側に髪をはさんで固定するための金具が取り付けられたものをいう。髪留めは、その装飾表面部は装身具として様々なデザインがなされており、頭部の装飾をする目的と、髪をまとめるという実用的な目的を合わせ持っている。髪留めには、プラスチックや金属、革製のものが多く市販されているが、七宝焼やカメオ、宝石、貴金属等が用いられたものもある。裏面の金具は、主に真鍮などの金属であり、弾力を持たせたバネや滑り止めが設けられており、強い力で髪を固定することができるようになっている。髪留めの装飾表面部は、その裏側の金具よりも大きめであり、装飾表面部の左翼部(左側係止部ともいう。)及び右翼部(右側係止部ともいう。)に、髪引張り具を引っ掛けることが可能である。すなわち、装飾表面部の左翼部には、右側の髪引張り具を引っ掛けることが可能である。装飾表面部の右翼部には、左側の髪引張り具を引っ掛けることが可能である。
○リング状とは、輪のような形をしていることをいう。
【００１０】
リング状にすることによって、図４のように、髪束を囲った髪引張り具の一端を髪引張り具の他端に潜らすことにより、髪束を束ねることができ、さらに右側の引っ張り具を髪留めの左翼部に引っ掛けて止めることができる。そして、左側の引っ張り具を髪留めの右翼部に引っ掛けて止めることができる。
弾性体である必要性は、左右の髪引張り具に，利用者が目尻上げ具を使用している時には、常時引っ張り力が作用するようにするためである。髪留めへの装着性も弾性体であることによってワンタッチで簡便に行うことができる。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第１の考案の効果
第１の考案によれば、
上記の課題を解決するための第１の考案（請求項１に記載の考案）は、
髪留めと、左右一対の髪引張り具からなる目尻上げ具において、
髪引張り具が弾性リング状体であり、かつ、髪留めが、弾性リング状の髪引張り具を引っ掛けられる構成となっているという特徴的な構成により、
ショートヘアーの人であっても、あるいは、どのような髪型の人であっても、頭髪を利用して簡単に目尻を引き上げるための目尻上げ具を提供するという第1の課題を達成し、
また、髪留め（市販の髪留めを含む。）を利用して、簡単に目尻を引き上げるための目尻上げ具を提供するという第2の課題を達成することができた。
【００１１】
すなわち、本考案によれば、こめかみ部分の髪が多少有るような髪型であれば、左右のこめかみ部分の一番引き上げたい一つまみ分の髪束を髪引張り具（弾性リング状体）でキュッと縛って止め、髪引張り具（弾性リング状体）、後頭部中央上に予め止めた髪留めに交差するように引っ掛ける。
【００１２】
これにより、整形手術をする必要がなく、またエステティックサロンに通う必要もなく、高価な美顔器具を購入する必要もなく、出かける時にマニュキュアを付けるような感覚で、誰でも簡単に目尻を上げることが可能となった。
【００１３】
また、市販の髪留め（小さいサイズの髪留めが望ましい。髪留めの装飾については、本考案の髪留めを使用する際には、外観上は隠れて見えないので、髪留めは、高価な装飾を施されたものである必要がない。）は、装飾も必要もないのでシンプルな髪留めを使用することにより低コストの目尻上げ具を提供することができた。
○第２の考案の効果
第２の考案によれば、髪引張り具が弾性リング体からなることを具体化するという特徴的構成要件により、当業者が予測不可能な本願考案の第１課題、第２課題を達成するための具体的構成を提供することができた。
○第３の考案の効果
第３の考案によれば、弾性リング体が、輪ゴムであることを具体化するという特徴的構成要件により、当業者が予測不可能な本願考案の第１課題、第２課題を達成するための具体的構成を提供することができた。
【考案を実施するための最良の形態】
【００１４】
以下、本考案に係る目尻上げ具、当該目尻上げ具を構成する髪引張り具、当該目尻上げ具を構成する髪留め具に関する好適な実施形態について、図面を参照しながら説明する。
【００１５】
図１は、本考案（第２の考案）に係る、目尻上げ具を構成する髪引張り具を示す構成図である。
【００１６】
図２は、本考案（第３の考案）に係る、目尻上げ具を構成する髪留め具を示す構成図である。
【００１７】
図３は、本考案の使用状態を示す図である。
【００１８】
図４は、本考案を構成する髪引張り具によって、こめこみ部の髪束を縛って束ねる手順を示す図である。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
目尻上げ具１００は、髪留め２０と、左右一対の髪引張り具１０Ｌ、１０Ｒの組合せによって構成されている（図１、図２）。
【００１９】
図１に示すように、髪引張り具１０Ｌ、１０Ｒは、弾性リング体１１Ｌ、１１Ｒ及びツマミ部ＫＬ、ＫＲから構成されている（ツマミ部ＫＬ、ＫＲが取り付けられていない場合もある）。
【００２０】
弾性リング体１１Ｌ、１１Ｒの一箇所にツマミ部ＫＬ、ＫＲを付けて、こめかみ部の髪束ＨＬ、ＨＲ（図３（ｃ）を参照）を縛って束ねた後に、目尻を上げるため、弾性リング体１１Ｌ、１１Ｒを引っ張り易くしている。
【００２１】
弾性リング体の代表例は、輪ゴム（ヘアーゴム）である。髪引張り具１０Ｌ、１０Ｒは、弾性リング体（輪ゴム）であることが、本考案の特徴である。すなわち、伸縮自在のフレキシビリティーを持ったリング状体（輪ゴム）であることが本考案の特徴である。フレキシビリティーを持ったリング状態であることにより、こめこみ部分の髪束ＨＬ、ＨＲを縛って止めることがマニキュアを使う感覚で非常に簡便にできる。
【００２２】
図２に示すように、髪留め２０は、弾性リング体１１Ｌ、１１Ｒを引っ掛けられる構成となっている。弾性リング体１１Ｌ、１１Ｒは、をそれぞれ交差して、髪留め２０の右側係止部２０Ｒ、２０Ｌに引っ掛けられて係止される。
【００２３】
弾性リング体１１Ｌ、１１Ｒには、左右に引っ張られて張力が作用し、左右のこめかみ部の髪束ＨＬ、ＨＲを通じて左右の目尻が上がるようになる。
【００２４】
図３に基づいて、本考案の使用状態を以下、説明する。
○ステップ１（図３（ａ）を参照）
先ず、後頭部の上部の髪留め２０を覆う髪Ｈｃｏｖを、予め上に上げておく（後頭部の上部の髪束ＨＣを露出させておく）。
○ステップ２（図３（ｂ）を参照）
先ず、後頭部中央上部の髪束ＨＣを挟んで髪留め１０を係止させる。
髪留め１０は、外観上は見えないので、装飾部がなくてもよく、サイズは小さいものが望ましい。
○ステップ３（図３（ｃ）を参照）
図３（ｃ）の左右２図は、左右の髪引っ張り具１０Ｌ、１０Ｒにより、左右のこめかみ部の髪束ＨＬ、ＨＲを束ねて縛る状態を示す。
【００２５】
こめかみ部分の髪束ＨＬ、ＨＲを束ねて縛る状態の詳細は、図４の（ａ）〜（ｄ）に基づいて説明する。
＊＊＊＊＊＊＊＊＊＊＊＊＊＊＊＊＊＊＊＊＊＊＊＊＊＊＊＊＊＊＊＊＊＊＊
＜ステップ３の１＞（図４の（ａ）を参照）
こめかみ部分の髪束ＨＬ、ＨＲに対して、図のように、髪引張り具１０Ｌ、１０Ｒをセットする。
【００２６】
＜ステップ３の２＞（図４の（ｂ）を参照）
一方の髪引張り具１０Ｌの先端部を、こめかみ部分の髪束ＨＬを巻き込むようにして、他方の髪引張り具１０Ｒのリングの中に入るようにする。
【００２７】
＜ステップ３の３＞（図４の（ｃ）を参照）
一方の髪引張り具１０Ｌの先端部を、こめかみ部分の髪束ＨＬを巻き込むようにすると同時に、他方の髪引張り具１０Ｒのリングの中を潜り抜けるようにする。
【００２８】
＜ステップ３の４＞（図４の（ｄ）を参照）
一方の髪引張り具１０Ｌの先端部を、こめかみ部分の髪束ＨＬを巻き込むようにすると同時に、他方の髪引張り具１０Ｒのリングの中を潜り抜けるようにした後、一方の髪引張り具１０Ｌの先端部を引っ張って、髪引張り具１０Ｌ、１０Ｒが、こめかみ部分の髪束ＨＬ、ＨＲを束ねて縛るようにする。
＊＊＊＊＊＊＊＊＊＊＊＊＊＊＊＊＊＊＊＊＊＊＊＊＊＊＊＊＊＊＊＊＊＊＊
○ステップ４（図３（ｄ）を参照）
後頭部中央上部に止めた髪留め１０の右側係止部２０Ｒ、左側係止部２０Ｌに、髪引張り具１０Ｌ、１０Ｒを交差させて係止させる。
○ステップ５（図３（ｅ）を参照）
予め上に上げておいた髪Ｈｃｏｖを解いて、後頭部中央上部に止めた髪留め１０及び左右の髪引張具１０Ｌ、１０Ｒ（左右の弾性リング体１１Ｌ、１１Ｒ）を覆うようにして後ろから見えなくして、同時に髪型を整えて、本考案の目尻上げ具１００の簡便な装着が終了する。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
第２の考案は、第１の考案の構成要件である髪引張り具１０Ｌ、１０Ｒを請求項に記載し、第２の考案が実用新案権の効力範囲に有ることを明確化したものである。
【００２９】
第３の考案も、同様に、第１の考案の構成要件である髪留め２０を請求項に記載し、第３の考案が実用新案権の効力範囲に有ることを明確化したものである。
【図面の簡単な説明】
【００３０】
【図１】は、本考案（第２の考案）に係る、目尻上げ具を構成する弾性リング体を示す構成図である。
【図２】は、本考案（第２の考案）に係る、目尻上げ具を構成する髪留めを示す構成図である。
【図３】は、本考案の使用状態を示す図である
【図４】は、本考案を構成する弾性リング体によってこめかみ部の髪束を縛って束ねる手順を示す図である。
【符号の説明】
【００３１】
１００                          目尻上げ具
１０                            髪留め
１０Ｌ、１０Ｒ                  髪引張り具（左右）
１１Ｌ、１１Ｒ                  弾性リング体（左右）
ＫＬ、ＫＲ                      ツマミ部（左右）
２０                            髪留め
２０Ｌ、２０Ｒ                  左側係止部、右側係止部
ＨＬ、ＨＲ                      こめかみ部の髪束（左右）
ＨＣ                            後頭上部の髪束
Ｈｃｏｖ                        後頭上部の髪留めに被さる髪
【図１】
0003147519.tif 000003
【図２】
0003147519.tif 000004
【図３】
0003147519.tif 000005
【図４】
0003147519.tif 000006